(57)【要約】      （修正有）【課題】映像の投映時にスクリーンとして機能し、映像の非投映時にミラーとして機能し、且つスペースを削減した、ミラースクリーンを提供する。【解決手段】前方のユーザに対し、前方から投映される映像を表示し、かつ鏡像を表示するミラースクリーン２０は、前方および後方からの光の一部を反射し、前方および後方からの光の他の一部を透過する光透過拡散反射層５３と、光透過拡散反射層５３の後方に設けられ、光透過拡散反射層５３からの光を前方に反射する光反射層６２とを備え、光透過拡散反射層５３は、前方から投映される映像の光を前方に拡散反射することで、前方のユーザ１０に対し映像を表示するスクリーンとして機能し、光反射層６２は、光透過拡散反射層５３を通過した光を前方に正反射することで、前方のユーザ１０に対し鏡像を表示するミラーとして機能する。【選択図】図１
2017083743.tif 000002
【特許請求の範囲】
【請求項１】
前方のユーザに対し、前方から投映される映像を表示し、かつ鏡像を表示するミラースクリーンであって、
前方および後方からの光の一部を反射し、前方および後方からの光の他の一部を透過する光透過拡散反射層と、
前記光透過拡散反射層の後方に設けられ、前記光透過拡散反射層からの光を前方に反射する光反射層とを備え、
前記光透過拡散反射層は、前方から投映される映像の光を前方に拡散反射することで、前方のユーザに対し映像を表示するスクリーンとして機能し、
前記光反射層は、前記光透過拡散反射層を通過した光を前方に正反射することで、前方のユーザに対し鏡像を表示するミラーとして機能する、ミラースクリーン。
【請求項２】
前記光透過拡散反射層と前記光反射層の間に、ミラースクリーンの内部における光の反射の繰り返しによる光の伝搬を抑制する光吸収層を備える、請求項１に記載のミラースクリーン。
【請求項３】
前記光吸収層は、前記光透過拡散反射層の後面に接して設けられている、請求項２に記載のミラースクリーン。
【請求項４】
前方のユーザに対し、前方から投映される映像を表示し、かつ鏡像を表示するミラースクリーンであって、
前方および後方からの光の一部を反射し、前方および後方からの光の他の一部を透過する光透過反射層と、
前記光透過反射層の後方に設けられ、前記光透過反射層からの光を前方に拡散反射する光拡散反射層とを備え、
前記光透過反射層は、前方からの光を前方に正反射することで、前方のユーザに対し鏡像を表示するミラーとして機能し、
前記光拡散反射層は、前記光透過反射層を通過した前記映像の光を前方に拡散反射することで、前方のユーザに対し前記映像を表示するスクリーンとして機能する、ミラースクリーン。
【請求項５】
前記光透過反射層と前記光拡散反射層の間に、ミラースクリーンの内部における光の反射の繰り返しによる光の伝搬を抑制する光吸収層を備える、請求項４に記載のミラースクリーン。
【請求項６】
前方のユーザに対し、前方から投映される映像を表示し、かつ鏡像を表示するミラースクリーンであって、
前方および後方からの光の一部を散乱し、前方および後方からの光の他の一部を透過する光散乱層と、
前記光散乱層の後方に設けられ、前記光散乱層からの光を前方に反射する光反射層とを備え、
前記光散乱層および前記光反射層は、前方から投映される映像の光を前記光散乱層において散乱させると共に前記光反射層において前方に反射させることで、前方のユーザに対し映像を表示するスクリーンとして機能し、
前記光反射層は、前記光散乱層を通過した光を前方に正反射することで、前方のユーザに対し鏡像を表示するミラーとして機能する、ミラースクリーン。
【請求項７】
前記光散乱層と前記光反射層の間に、ミラースクリーンの内部における光の反射の繰り返しによる光の伝搬を抑制する光吸収層を備える、請求項６に記載のミラースクリーン。
【請求項８】
前記光散乱層の前方に、ミラースクリーンの内部における光の反射の繰り返しによる光の伝搬を抑制する光吸収層を備える、請求項６または７に記載のミラースクリーン。
【請求項９】
前記光散乱層は、その内部に、ミラースクリーンの内部における光の反射の繰り返しによる光の伝搬を抑制する光吸収材料を含む、請求項６〜８のいずれか１項に記載のミラースクリーン。
【発明の詳細な説明】
【技術分野】
【０００１】
本発明は、ミラースクリーンに関する。
【背景技術】
【０００２】
特許文献１に記載の鏡兼用スクリーンは、マジックミラーと透過式スクリーンを貼り合わせてなる。鏡兼用スクリーンを基準として鑑賞室とは反対側に投射室が設けられており、投射室にプロジェクタが収容されている。プロジェクタは鏡兼用スクリーンに映像を投影し、鏡兼用スクリーンは投影された映像を鑑賞室の鑑賞者に対し表示する。プロジェクタの不使用時に、鑑賞室が投射室よりも明るいと、鏡兼用スクリーンは鏡として機能する。
【先行技術文献】
【特許文献】
【０００３】
【特許文献１】実開昭６３−２９３２号公報
【発明の概要】
【発明が解決しようとする課題】
【０００４】
従来、鏡兼用スクリーンを基準として鑑賞室とは反対側に投射室が設けられていたため、広いスペースが必要であった。
【０００５】
本発明は、上記課題に鑑みてなされたものであって、映像の投映時にスクリーンとして機能し、映像の非投映時にミラーとして機能し、且つスペースを削減した、ミラースクリーンの提供を主な目的とする。
【課題を解決するための手段】
【０００６】
上記課題を解決するため、本発明の一態様によれば、
前方のユーザに対し、前方から投映される映像を表示し、かつ鏡像を表示するミラースクリーンであって、
前方および後方からの光の一部を反射し、前方および後方からの光の他の一部を透過する光透過拡散反射層と、
前記光透過拡散反射層の後方に設けられ、前記光透過拡散反射層からの光を前方に反射する光反射層とを備え、
前記光透過拡散反射層は、前方から投映される映像の光を前方に拡散反射することで、前方のユーザに対し映像を表示するスクリーンとして機能し、
前記光反射層は、前記光透過拡散反射層を通過した光を前方に正反射することで、前方のユーザに対し鏡像を表示するミラーとして機能する、ミラースクリーンが提供される。
【発明の効果】
【０００７】
本発明の一態様によれば、映像の投映時にスクリーンとして機能し、映像の非投映時にミラーとして機能し、且つスペースを削減した、ミラースクリーンが提供される。
【図面の簡単な説明】
【０００８】
【図１】第１実施形態によるミラースクリーンの断面図である。
【図２】第１実施形態の変形例によるミラースクリーンの断面図である。
【図３】第２実施形態によるミラースクリーンの断面図である。
【図４】第２実施形態の変形例によるミラースクリーンの断面図である。
【図５】第３実施形態によるミラースクリーンの断面図である。
【図６】第３実施形態の変形例によるミラースクリーンの断面図である。
【発明を実施するための形態】
【０００９】
以下、本発明を実施するための形態について図面を参照して説明する。各図面において、同一の又は対応する構成には、同一の又は対応する符号を付して説明を省略する。
【００１０】
［第１実施形態］
図１は、第１実施形態によるミラースクリーンの断面図である。ミラースクリーン２０を基準としてユーザ１０側（図１では左側）を前方、ミラースクリーン２０を基準としてユーザ１０とは反対側（図１では右側）を後方と呼ぶ。図２〜図６において同様である。
【００１１】
ミラースクリーン２０は、前方のユーザ１０に対し、前方のプロジェクタ１２から投映される映像を表示し、かつ前方のユーザ１０などの鏡像を表示する。その鏡像は、映像の非投映時に表示されればよく、映像の投映時に表示されてもよいが表示されなくてよく、映像の投映時にユーザ１０に視認不能であってよい。
【００１２】
ミラースクリーン２０は、平面スクリーン、曲面スクリーンのいずれでもよい。曲面スクリーンは、ユーザ１０に向けて凸の形状を有するもの、ユーザ１０に向けて凹の形状を有するもの、のいずれでもよい。
【００１３】
ミラースクリーン２０は、例えば、複数の透明板３０、４０と、複数の透明板３０、４０の間に設けられるスクリーンシート５０とで構成される合わせ板を有する。スクリーンシート５０は、透明板３０に対し接着層３１によって接着されると共に、透明板４０に対し接着層４１によって接着される。
【００１４】
複数の透明板３０、４０は、スクリーンシート５０を前後両側から挟むことで、スクリーンシート５０を前後両側から保護する。複数の透明板３０、４０は、それぞれ、例えばガラス板である。この場合、合わせ板として、合わせガラスが得られる。
【００１５】
スクリーンシート５０を挟む複数のガラス板は、それぞれ、未強化ガラス、強化ガラスのいずれでもよい。未強化ガラスは、溶融ガラスを板状に成形し、徐冷したものである。成形方法としては、フロート法、フュージョン法などが挙げられる。強化ガラスは、物理強化ガラス、化学強化ガラスのいずれでもよい。物理強化ガラスは、均一に加熱したガラス板を軟化点付近の温度から急冷し、ガラス表面とガラス内部との温度差によってガラス表面に圧縮応力を生じさせることで、ガラス表面を強化したものである。化学強化ガラスは、イオン交換法などによってガラス表面に圧縮応力を生じさせることで、ガラス表面を強化したものである。
【００１６】
尚、本実施形態の透明板３０、４０は、それぞれ、ガラス板であるが、樹脂板でもよい。また、複数の透明板３０、４０のうち、一方がガラス板、他方が樹脂板でもよい。また、合わせ板に含まれる透明板の数は３つ以上でもよい。
【００１７】
複数の接着層３１、４１は、スクリーンシート５０を挟んで設けられ、スクリーンシート５０を複数の透明板３０、４０に接着する。接着層３１、４１の厚みは、それぞれ、限定されるものではないが、例えば０．０１〜１．５ｍｍ、好ましくは０．３〜０．８ｍｍである。
【００１８】
複数の接着層３１、４１は、異なる材料で形成されてもよいが、好ましくは同じ材料で形成される。接着層３１、４１は、例えば、熱可塑性樹脂、熱硬化性樹脂、または紫外線硬化性樹脂などで形成される。
【００１９】
熱可塑性樹脂または熱硬化性樹脂の場合、熱処理によって接着が行われる。一方、紫外線硬化性樹脂の場合、紫外線照射によって接着が行われる。
【００２０】
熱可塑性樹脂としては、たとえば、エチレン−酢酸ビニルコポリマー、ポリビニルブチラール、可塑化ポリビニルアセタール、可塑化ポリ塩化ビニル、可塑化飽和熱可塑性ポリエステル、熱可塑性ポリウレタン、エチレン−エチルアクリレートコポリマー等が挙げられる。
【００２１】
熱硬化性樹脂としては、アクリル系熱硬化性樹脂、熱硬化性エポキシ樹脂、ポリウレタン系硬化性樹脂等が挙げられる。
【００２２】
紫外線硬化性樹脂としては、アクリル系光硬化性樹脂、光硬化性エポキシ樹脂、ウレタンアクリレート系光硬化性樹脂等が挙げられる。
【００２３】
スクリーンシート５０は、複数の透明板３０、４０の間に挟んで用いられる。スクリーンシート５０は、可撓性を有しなくてもよいが、可撓性を有することが好ましい。スクリーンシート５０の厚みは、スクリーンシート５０の製造方法や投映像の視認性などに応じて任意に設定できるが、例えば０．０２〜１．５ｍｍが好ましい。
【００２４】
スクリーンシート５０は、例えば、前側から後側に向けて、基材５１、凹凸層５２、光透過拡散反射層５３、第１の光吸収層５４、被覆層５５、および保護層５６をこの順で有する。この場合、基材５１の表面に、凹凸層５２、光透過拡散反射層５３、第１の光吸収層５４、被覆層５５、および保護層５６がこの順で形成される。この場合、光透過拡散反射層５３よりも後に、第１の光吸収層５４が形成される。
【００２５】
尚、基材５１と保護層５６との配置は逆でもよく、スクリーンシート５０は、前側から後側に向けて、保護層５６、被覆層５５、光透過拡散反射層５３、第１の光吸収層５４、凹凸層５２、および基材５１をこの順で有してもよい。この場合、基材５１の表面に、凹凸層５２、第１の光吸収層５４、光透過拡散反射層５３、被覆層５５、および保護層５６がこの順で形成される。この場合、光透過拡散反射層５３よりも先に、第１の光吸収層５４が形成される。
【００２６】
基材５１は、ガラスシート、樹脂シートのいずれでもよいが、可撓性の観点から樹脂シートであることが好ましい。樹脂シートは、例えば、ポリカーボネート、ＰＥＴ、ＰＥＮ、シクロオレフィンポリマー、またはポリエステルで形成される。
【００２７】
凹凸層５２は、基材５１の表面に形成され、基材５１とは反対側の表面に凹凸を有する。凹凸層５２は、樹脂により形成されてよい。樹脂としては、接着層３１または接着層４１に用いられる樹脂を用いることができる。凹凸層５２の形成方法としては、例えばインプリント法などが用いられる。インプリント法の樹脂材料としては、光硬化性樹脂、熱可塑性樹脂、熱硬化性樹脂のいずれが用いられてもよい。
【００２８】
光透過拡散反射層５３は、凹凸層５２の表面の凹凸に沿ってジグザグ状に形成される。光透過拡散反射層５３は、前方および後方からの光の一部を反射し、前方および後方からの光の他の一部を透過する。光透過拡散反射層５３は、その前面に凹凸を有し、前方から投映される映像の光を前方に拡散反射することで、映像を表示するスクリーンとして機能する。
【００２９】
光透過拡散反射層５３は、光を反射する材料、例えばアルミニウムや銀などの金属、金属酸化物、または金属窒化物などにより形成されてよい。光透過拡散反射層５３は、単層構造、複層構造のいずれでもよい。光透過拡散反射層５３の形成方法としては、例えば真空蒸着法またはスパッタリング法などが用いられる。
【００３０】
光透過拡散反射層５３は、光を反射するとともに光を吸収する材料を含むことで、光吸収層の役割を果たし得る。光を反射するとともに光を吸収する材料としてはアルミニウムなどが挙げられる。
【００３１】
第１の光吸収層５４は、光透過拡散反射層５３の表面の凹凸に沿ってジグザグ状に形成される。第１の光吸収層５４は、その内部を伝搬する光の一部を吸収することで、ミラースクリーン２０の内部における光の反射の繰り返しによる光の伝搬を抑制する。これにより、映像のぼやけが抑制できる。
【００３２】
第１の光吸収層５４は、光反射率よりも光吸収率の大きい材料で形成される。第１の光吸収層５４は、例えばチタンなどの金属、酸化モリブデンや酸化クロムなどの金属酸化物、または金属窒化物などにより形成されてよい。第１の光吸収層５４の形成方法としては、例えば真空蒸着法またはスパッタリング法などが用いられる。
【００３３】
被覆層５５は、第１の光吸収層５４の表面の凹凸を埋める。被覆層５５は、樹脂により形成されてよく、好ましくは凹凸層５２と同一の樹脂により形成される。
【００３４】
保護層５６は、被覆層５５を保護するシートである。保護層５６は、透明ガラスシート、透明樹脂シートのいずれでもよいが、可撓性の観点から透明樹脂シートであることが好ましい。樹脂シートは、例えば、ポリカーボネート、ＰＥＴ、ＰＥＮ、シクロオレフィンポリマー、またはポリエステルで形成される。
【００３５】
尚、本実施形態の凹凸層５２は、基材５１の表面に形成されるが、その代わりに複数の透明板３０、４０のいずれか一方の表面に形成されてもよい。また、本実施形態の被覆層５５は、保護層５６で保護されるが、その代りに複数の透明板３０、４０のいずれか他方で保護されてもよい。これらの場合、複数の接着層３１、４１、基材５１、および保護層５６が不要である。基材５１に加えて凹凸層５２が不要な場合としては、複数の透明板３０、４０のうちのいずれか一方の表面がブラスト処理、ウェットエッチングなどによって凹凸面になっている場合が挙げられる。この凹凸面が凹凸層５２の表面の代わりになる。
【００３６】
ミラースクリーン２０は、複数の透明板３０、４０とスクリーンシート５０とで構成される合わせ板の後方に、第２の光吸収層６１と、光反射層６２と、後面保護層６３とを有する。透明板４０を基材として、第２の光吸収層６１と、光反射層６２と、後面保護層６３とがこの順で形成される。
【００３７】
第２の光吸収層６１は、その内部を伝搬する光の一部を吸収することで、ミラースクリーン２０の内部における光の反射の繰り返しによる光の伝搬を抑制する。これにより、映像のぼやけが抑制できる。第２の光吸収層６１は、第１の光吸収層５４と同様の方法で形成される。
【００３８】
光反射層６２は、前方からの光を反射する。光反射層６２は、前方からの光をほとんど透過させない。光反射層６２は、前方からの光を正反射することで、鏡像を表示するミラーとして機能する。光反射層６２は、例えばアルミニウムや銀などの金属、金属酸化物、または金属窒化物、それらの積層構造などにより形成されてよい。光反射層６２の形成方法としては、例えば真空蒸着法またはスパッタリング法、メッキ処理などが用いられる。
【００３９】
後面保護層６３は、光反射層６２を保護するシート、または塗膜である。例えば、後面保護層６３は、光反射層６２を湿気などから保護する。後面保護層６３は、透明ガラスシート、透明樹脂シート、金属シート、金属メッキ、有機塗膜のいずれでもよい。
【００４０】
尚、本実施形態の第２の光吸収層６１や光反射層６２は、合わせ板の外部に設けられるが、合わせ板の内部に設けられてもよく、例えば後側の透明板４０の前面に設けられてもよい。この場合、透明板４０を基材として、光反射層６２と、第２の光吸収層６１とがこの順で形成される。第２の光吸収層６１とスクリーンシート５０とは、その間に設けられる接着層４１によって接着される。また、本実施形態の第２の光吸収層６１や光反射層６２は、スクリーンシート５０とは別に設けられるが、スクリーンシート５０の一部として設けられてもよい。
【００４１】
以上説明したように、本実施形態のミラースクリーン２０は、光透過拡散反射層５３と、光反射層６２とを備える。光透過拡散反射層５３は、前方および後方からの光の一部を反射し、前方および後方からの光の他の一部を透過する。光透過拡散反射層５３は、その前面に凹凸を有し、前方から投映される映像の光を前方に拡散反射することで、前方のユーザ１０に対し映像を表示するスクリーンとして機能する。光反射層６２は、光透過拡散反射層５３の後方に設けられ、光透過拡散反射層５３からの光を前方に反射する。光反射層６２は、光透過拡散反射層５３を通過した光を正反射することで、前方のユーザ１０に対し鏡像を表示するミラーとして機能する。本実施形態によれば、ミラースクリーン２０を基準として、ユーザ１０とプロジェクタ１２とが同じ側に存在するため、スペースが削減できる。
【００４２】
本実施形態のミラースクリーン２０は、光透過拡散反射層５３と光反射層６２の間に、第１の光吸収層５４と第２の光吸収層６１とを備える。第１の光吸収層５４や第２の光吸収層６１は、それぞれの内部を伝搬する光の一部を吸収することで、ミラースクリーン２０の内部における光の反射の繰り返しによる光の伝搬を抑制する。特に光透過拡散反射層５３と光反射層６２との間での光の反射の繰り返しによる光の伝搬を抑制できる。これにより、映像のぼやけを抑制できる。尚、この効果は、光透過拡散反射層５３と光反射層６２の間に少なくとも１つの光吸収層があれば得られる。光吸収層は、任意の構成であって、なくてもよい。光吸収層は専用の層として設けることが製造上容易でありヘーズも少なく好ましい。但し、接着層４１、被覆層５５、保護層５６、透明板４０は、着色顔料、染料、イオン、カーボン等を含むことで、光吸収層の役割を果たし得る。
【００４３】
本実施形態の第１の光吸収層５４は、光透過拡散反射層５３の後面に接して設けられている。プロジェクタ１２による映像の投映時に、光透過拡散反射層５３を通過した光は、映像の表示に用いられない光であって不要な光である。不要な光の一部が光透過拡散反射層５３の通過の直後に第１の光吸収層５４によって吸収されるため、映像のぼやけを抑制する効果が顕著に得られる。
【００４４】
また、映像のぼやけを抑制する効果としては、後側の透明板４０の板厚を５ｍｍ以内とするとよい。
【００４５】
また、光反射層６２によって反射される鏡像の視認性を向上させるためには、光反射層６２と光透過拡散反射層５３との距離が１０ｍｍ以上であるとよい。
【００４６】
尚、本実施形態のミラースクリーン２０は、複数の透明板３０、４０を有するが、複数の透明板３０、４０のいずれか一方のみを有してもよい。この場合、スクリーンシート５０は、複数の透明板３０、４０のいずれか一方のみに貼り付けて用いられる。
【００４７】
［第１実施形態の変形例］
図２は、第１実施形態の変形例によるミラースクリーンの断面図である。以下、上記第１実施形態との相違点について主に説明する。
【００４８】
本変形例のミラースクリーン２０Ａは、図１に示すスクリーンシート５０の代わりに、図２に示すスクリーンシート５０Ａを有する。
【００４９】
スクリーンシート５０Ａは、例えば、前側から後側に向けて、基材５１、光透過拡散反射層５３Ａ、第１の光吸収層５４、および保護層５６をこの順で有する。この場合、基材５１の表面に、光透過拡散反射層５３Ａ、第１の光吸収層５４、および保護層５６がこの順で形成される。この場合、光透過拡散反射層５３Ａよりも後に、第１の光吸収層５４が形成される。
【００５０】
尚、基材５１と保護層５６との配置は逆でもよく、スクリーンシート５０Ａは、前側から後側に向けて、保護層５６、光透過拡散反射層５３Ａ、第１の光吸収層５４、および基材５１をこの順で有してもよい。この場合、基材５１の表面に、第１の光吸収層５４、光透過拡散反射層５３Ａ、および保護層５６がこの順で形成される。この場合、光透過拡散反射層５３Ａよりも先に、第１の光吸収層５４が形成される。
【００５１】
本変形例では、上記第１実施形態とは異なり、光透過拡散反射層５３Ａは、凹凸層５２の表面ではなく基材５１の表面に形成される。
【００５２】
光透過拡散反射層５３Ａは、複数の光反射粒子５３Ａａと、その光反射粒子５３Ａａを保持する樹脂などの透明材料５３Ａｂとを含む。複数の光反射粒子５３Ａａは前後方向視で隙間をおいて並ぶ。光透過拡散反射層５３Ａは、前方および後方からの光の一部を反射し、前方および後方からの光の他の一部を透過する。光透過拡散反射層５３Ａは、前後方向視で隙間をおいて並ぶ複数の光反射粒子５３Ａａを有し、前方から投映される映像の光を前方に拡散反射することで、映像を表示するスクリーンとして機能する。
【００５３】
光透過拡散反射層５３Ａに含まれる光反射粒子５３Ａａは、光を反射する材料、例えばアルミニウムや銀、金などの金属、ＩＴＯ、ＡＴＯ、チタニア、ジルコニアなどの金属酸化物、またはＳｉ３Ｎ４、ＴａＮなどの金属窒化物、ダイヤモンドなどの鉱物などにより形成されてよい。
【００５４】
尚、本変形例の光透過拡散反射層５３Ａは、基材５１の表面に形成されるが、その代わりに複数の透明板３０、４０のいずれか一方の表面に形成されてもよい。また、本変形例の第１の光吸収層５４は、保護層５６で保護されるが、その代りに複数の透明板３０、４０のいずれか他方で保護されてもよい。これらの場合、複数の接着層３１、４１、基材５１、および保護層５６が不要である。
【００５５】
本変形例のミラースクリーン２０Ａは、光透過拡散反射層５３Ａと、光反射層６２とを備える。光透過拡散反射層５３Ａは、前後方向視で隙間をおいて並ぶ複数の光反射粒子５３Ａａを有し、前方から投映される映像の光を前方に拡散反射することで、前方のユーザ１０に対し映像を表示するスクリーンとして機能する。光反射層６２は、光透過拡散反射層５３Ａを通過した光を正反射することで、前方のユーザ１０に対し鏡像を表示するミラーとして機能する。本変形例によれば、ミラースクリーン２０Ａを基準として、ユーザ１０とプロジェクタ１２とが同じ側に存在するため、スペースが削減できる。
【００５６】
本変形例のミラースクリーン２０Ａは、光透過拡散反射層５３Ａと光反射層６２の間に、第１の光吸収層５４と第２の光吸収層６１とを備える。第１の光吸収層５４や第２の光吸収層６１は、それぞれの内部を伝搬する光の一部を吸収することで、ミラースクリーン２０Ａの内部における光の反射の繰り返しによる光の伝搬を抑制する。特に光透過拡散反射層５３Ａと光反射層６２との間での光の反射の繰り返しによる光の伝搬を抑制できる。これにより、映像のぼやけを抑制できる。尚、この効果は、光透過拡散反射層５３Ａと光反射層６２の間に少なくとも１つの光吸収層があれば得られる。光吸収層は、任意の構成であって、なくてもよい。光吸収層は専用の層として設けることが製造上容易でありヘーズも少なく好ましい。但し、接着層４１、光透過拡散反射層５３Ａ、保護層５６、透明板４０は、着色顔料、染料、イオン、カーボン等を含むことで、光吸収層の役割を果たし得る。
【００５７】
本変形例の第１の光吸収層５４は、光透過拡散反射層５３Ａの後面に接して設けられている。プロジェクタ１２による映像の投映時に、光透過拡散反射層５３Ａを通過した光は、映像の表示に用いられない光であって不要な光である。不要な光の一部が光透過拡散反射層５３Ａの通過の直後に第１の光吸収層５４によって吸収されるため、映像のぼやけを抑制する効果が顕著に得られる。
【００５８】
尚、本変形例のミラースクリーン２０Ａは、複数の透明板３０、４０を有するが、複数の透明板３０、４０のいずれか一方のみを有してもよい。この場合、スクリーンシート５０Ａは、複数の透明板３０、４０のいずれか一方のみに貼り付けて用いられる。
【００５９】
［第２実施形態］
図３は、第２実施形態の変形例によるミラースクリーンの断面図である。以下、上記第１実施形態との相違点について主に説明する。
【００６０】
ミラースクリーン１２０は、前方のユーザ１０に対し、前方のプロジェクタ１２から投映される映像を表示し、かつ前方のユーザ１０などの鏡像を表示する。その鏡像は、映像の非投映時に表示されればよく、映像の投映時に表示されてもよいが表示されなくてよく、映像の投映時にユーザ１０に視認不能であってよい。
【００６１】
ミラースクリーン１２０は、平面スクリーン、曲面スクリーンのいずれでもよい。曲面スクリーンは、ユーザ１０に向けて凸の形状を有するもの、ユーザ１０に向けて凹の形状を有するもの、のいずれでもよい。
【００６２】
ミラースクリーン１２０は、例えば、複数の透明板３０、４０と、複数の透明板３０、４０の間に設けられるスクリーンシート１５０とで構成される合わせ板を有する。スクリーンシート１５０は、透明板３０に対し接着層３１によって接着されると共に、透明板４０に対し接着層４１によって接着される。
【００６３】
複数の透明板３０、４０は、スクリーンシート１５０を前後両側から挟むことで、スクリーンシート１５０を前後両側から保護する。複数の透明板３０、４０は、それぞれ、例えばガラス板である。この場合、合わせ板として、合わせガラスが得られる。
【００６４】
ミラースクリーン１２０は、透明板３０と接着層３１との間に、光透過反射層１７１と、第１の光吸収層１７２とを有する。透明板３０を基材として、光透過反射層１７１と、第１の光吸収層１７２とがこの順で形成される。
【００６５】
光透過反射層１７１は、透明板３０における透明板４０との対向面に形成される。光透過反射層１７１は、前方および後方からの光の一部を反射し、前方および後方からの光の他の一部を透過する。光透過反射層１７１は、前方からの光を前方に正反射することで、前方のユーザ１０に対し鏡像を表示するミラーとして機能する。光透過反射層１７１に対し前方から入射する光の光反射率は、例えば２５％以上、８０％未満である。
【００６６】
光透過反射層１７１は、光を反射する材料の薄膜で構成される。光透過反射層１７１は、例えばアルミニウムや銀などの金属、金属酸化物、または金属窒化物などにより形成されてよい。光透過反射層１７１は、単層構造、複層構造のいずれでもよい。光透過反射層１７１の形成方法としては、例えば真空蒸着法またはスパッタリング法などが用いられる。
【００６７】
第１の光吸収層１７２は、光透過反射層１７１の表面に形成される。第１の光吸収層１７２は、その内部を伝搬する光の一部を吸収することで、ミラースクリーン１２０の内部における光の反射の繰り返しによる光の伝搬を抑制する。これにより、映像のぼやけが抑制できる。
【００６８】
第１の光吸収層１７２は、光反射率よりも光吸収率の大きい材料で形成される。第１の光吸収層１７２は、例えばチタンなどの金属、酸化モリブデンや酸化クロムなどの金属酸化物、金属窒化物、カーボンブラック、グラファイト、グラフェン等の炭素材料、有機顔料、または有機染料等を含む材料より形成されてよい。第１の光吸収層１７２の形成方法としては、例えば真空蒸着法またはスパッタリング法、ウェットコーティング法などが用いられる。
【００６９】
尚、本実施形態の光透過反射層１７１や第１の光吸収層１７２は、合わせ板の内部に設けられるが、合わせ板の外部に設けられてもよく、例えば前側の透明板３０の前面に設けられてもよい。また、本実施形態の光透過反射層１７１や第１の光吸収層１７２は、スクリーンシート１５０とは別に設けられるが、スクリーンシート１５０の一部として設けられてもよい。
【００７０】
スクリーンシート１５０は、複数の透明板３０、４０の間に挟んで用いられる。スクリーンシート１５０の厚みは、スクリーンシート１５０の製造方法や投映像の視認性などに応じて任意に設定できるが、例えば０．０２〜１．５ｍｍが好ましい。
【００７１】
スクリーンシート１５０は、例えば、前側から後側に向けて、基材５１、凹凸層５２、第２の光吸収層１５３、光拡散反射層１５４、被覆層５５、および保護層５６をこの順で有する。この場合、基材５１の表面に、凹凸層５２、第２の光吸収層１５３、光拡散反射層１５４、被覆層５５、および保護層５６がこの順で形成される。この場合、光拡散反射層１５４よりも先に、第２の光吸収層１５３が形成される。
【００７２】
尚、基材５１と保護層５６との配置は逆でもよく、スクリーンシート１５０は、前側から後側に向けて、保護層５６、被覆層５５、第２の光吸収層１５３、光拡散反射層１５４、凹凸層５２、および基材５１をこの順で有してもよい。この場合、基材５１の表面に、凹凸層５２、光拡散反射層１５４、第２の光吸収層１５３、被覆層５５、および保護層５６がこの順で形成される。この場合、光拡散反射層１５４よりも後に、第２の光吸収層１５３が形成される。
【００７３】
第２の光吸収層１５３は、凹凸層５２の表面の凹凸に沿ってジグザグ状に形成される。第２の光吸収層１５３は、その内部を伝搬する光の一部を吸収することで、ミラースクリーン１２０の内部における光の反射の繰り返しによる光の伝搬を抑制する。これにより、映像のぼやけが抑制できる。
【００７４】
第２の光吸収層１５３は、第１の光吸収層１７２と同様の材料、方法で形成される。
【００７５】
光拡散反射層１５４は、第２の光吸収層１５３の表面の凹凸に沿ってジグザグ状に形成される。光拡散反射層１５４は、前方からの光を前方に拡散反射する。光拡散反射層１５４は、前方からの光をほとんど透過させない。光拡散反射層１５４は、その前面に凹凸を有し、前方から投映される映像の光を前方に拡散反射することで、映像を表示するスクリーンとして機能する。
【００７６】
光拡散反射層１５４は、光を反射する材料、例えばアルミニウムや銀などの金属、金属酸化物、または金属窒化物などにより形成される。光拡散反射層１５４の形成方法としては、例えば真空蒸着法またはスパッタリング法などが用いられる。光拡散反射層１５４の表面の凹凸は、被覆層５５によって埋められる。
【００７７】
尚、本実施形態の凹凸層５２は、基材５１の表面に形成されるが、その代わりに複数の透明板３０、４０のいずれか一方の表面に形成されてもよい。その表面は、光透過反射層１７１よりも後方の透明板の表面であればよい。また、本実施形態の被覆層５５は、保護層５６で保護されるが、その代わりに複数の透明板３０、４０のいずれか他方で保護されてもよい。これらの場合、複数の接着層３１、４１、基材５１、および保護層５６が不要である。基材５１に加えて凹凸層５２が不要な場合としては、複数の透明板３０、４０のうちのいずれか一方の表面がブラスト処理などによって凹凸面になっている場合が挙げられる。この凹凸面が凹凸層５２の表面の代わりになる。
【００７８】
以上説明したように、本実施形態のミラースクリーン１２０は、光透過反射層１７１と、光拡散反射層１５４とを備える。光透過反射層１７１は、前方および後方からの光の一部を反射し、前方および後方からの光の他の一部を透過する。光透過反射層１７１は、前方からの光を正反射することで、前方のユーザ１０に対し鏡像を表示するミラーとして機能する。光拡散反射層１５４は、光透過反射層１７１の後方に設けられ、光透過反射層１７１からの光を前方に拡散反射する。光拡散反射層１５４は、光透過反射層１７１を通過した映像の光を前方に拡散反射することで、前方のユーザ１０に対し映像を表示するスクリーンとして機能する。本実施形態によれば、ミラースクリーン１２０を基準として、ユーザ１０とプロジェクタ１２とが同じ側に存在するため、スペースが削減できる。
【００７９】
本実施形態のミラースクリーン１２０は、光透過反射層１７１と光拡散反射層１５４との間に、第１の光吸収層１７２と第２の光吸収層１５３とを備える。第１の光吸収層１７２や第２の光吸収層１５３は、それぞれの内部を伝搬する光の一部を吸収することで、ミラースクリーン１２０の内部における光の反射の繰り返しによる光の伝搬を抑制する。特に光透過反射層１７１と光拡散反射層１５４との間での光の反射の繰り返しによる光の伝搬を抑制できる。これにより、映像のぼやけを抑制できる。尚、この効果は、光透過反射層１７１と光拡散反射層１５４との間に少なくとも１つの光吸収層があれば得られる。光吸収層は、任意の構成であって、なくてもよい。光吸収層は専用の層として設けることが製造上容易でありヘーズも小さくできるので好ましい。但し、接着層４１、被覆層５５、保護層５６、透明板４０は、着色顔料、染料、イオン、カーボン等を含むことで、光吸収層の役割を果たし得る。
【００８０】
尚、本実施形態のミラースクリーン１２０は、複数の透明板３０、４０を有するが、複数の透明板３０、４０のいずれか一方のみを有してもよい。この場合、スクリーンシート１５０は、複数の透明板３０、４０のいずれか一方のみに貼り付けて用いられる。
【００８１】
［第２実施形態の変形例］
図４は、第２実施形態の変形例によるミラースクリーンの断面図である。以下、上記第２実施形態との相違点について主に説明する。
【００８２】
本変形例のミラースクリーン１２０Ａは、図３に示すスクリーンシート１５０の代わりに、図４に示すスクリーンシート１５０Ａを有する。
【００８３】
スクリーンシート１５０Ａは、例えば、前側から後側に向けて、基材５１、第２の光吸収層１５３、光拡散反射層１５４Ａ、および保護層５６をこの順で有する。この場合、基材５１の表面に、第２の光吸収層１５３、光拡散反射層１５４Ａ、および保護層５６がこの順で形成される。この場合、光拡散反射層１５４Ａよりも先に、第２の光吸収層１５３が形成される。
【００８４】
尚、基材５１と保護層５６との配置は逆でもよく、スクリーンシート１５０Ａは、前側から後側に向けて、保護層５６、第２の光吸収層１５３、光拡散反射層１５４Ａ、および基材５１をこの順で有してもよい。この場合、基材５１の表面に、光拡散反射層１５４Ａ、第２の光吸収層１５３、および保護層５６がこの順で形成される。この場合、光拡散反射層１５４Ａよりも後に、第２の光吸収層１５３が形成される。
【００８５】
本変形例では、上記第２実施形態とは異なり、第２の光吸収層１５３は、凹凸層５２の表面ではなく基材５１の表面に形成される。
【００８６】
光拡散反射層１５４Ａは、複数の光反射粒子１５４Ａａと、その光反射粒子１５４Ａａを保持する樹脂などの透明材料１５４Ａｂとを含む。複数の光反射粒子１５４Ａａは前後方向視で隙間なく並ぶ。複数の光反射粒子１５４Ａａが形成する前面は、凹凸面である。光拡散反射層１５４Ａは、前後方向視で隙間なく並ぶ複数の光反射粒子１５４Ａａを有し、前方から投映される映像の光を前方に拡散反射することで、映像を表示するスクリーンとして機能する。
【００８７】
光反射粒子１５４Ａａは、光を反射する材料、例えばアルミニウムや銀などの金属、金属酸化物、または金属窒化物などにより形成される。
【００８８】
光反射粒子１５４Ａａは、再帰反射性の粒子であっても良い。その場合、再帰反射性の粒子は、その後側に設けられる空気層または外気と接触していることが好ましい。光拡散反射層１５４Ａの光反射率が高くなるためである。空気層の代わりに、金属等による反射膜が再帰反射性の粒子と接触していてもよい。
【００８９】
一方、透明材料１５４Ａｂは、着色していてもよい。映像のコントラストを向上できる。
【００９０】
尚、光拡散反射層１５４Ａは、光散乱層と、当該光散乱層の後方に設けられる光反射層とで構成されてもよい。光拡散反射層１５４Ａは、後述の第３実施形態と同様に、前方から投映される映像の光を光散乱層において散乱させると共に光反射層において前方に反射させることで、前方のユーザ１０に対し映像を表示するスクリーンとして機能する。映像の表示には、光散乱層における前方散乱が利用される。前方散乱とは、光の進行方向への散乱を意味する。
【００９１】
尚、本変形例の第２の光吸収層１５３は、基材５１の表面に形成されるが、その代わりに複数の透明板３０、４０のいずれか一方の表面に形成されてもよい。その表面は、光透過反射層１７１よりも後方の透明板の表面であればよい。また、本変形例の光拡散反射層１５４Ａは、保護層５６で保護されるが、その代わりに複数の透明板３０、４０のいずれか他方で保護されてもよい。これらの場合、複数の接着層３１、４１、基材５１、および保護層５６が不要である。
【００９２】
本変形例のミラースクリーン１２０Ａは、光透過反射層１７１と、光拡散反射層１５４Ａとを備える。光透過反射層１７１は、前方および後方からの光の一部を反射し、前方および後方からの光の他の一部を透過する。光透過反射層１７１は、前方からの光を正反射することで、前方のユーザ１０に対し鏡像を表示するミラーとして機能する。光拡散反射層１５４Ａは、光透過反射層１７１の後方に設けられ、光透過反射層１７１からの光を前方に拡散反射する。光拡散反射層１５４Ａは、光透過反射層１７１を通過した映像の光を前方に拡散反射することで、前方のユーザ１０に対し映像を表示するスクリーンとして機能する。本変形例によれば、ミラースクリーン１２０Ａを基準として、ユーザ１０とプロジェクタ１２とが同じ側に存在するため、スペースが削減できる。
【００９３】
本変形例のミラースクリーン１２０Ａは、光透過反射層１７１と光拡散反射層１５４Ａとの間に、第１の光吸収層１７２と第２の光吸収層１５３とを備える。第１の光吸収層１７２や第２の光吸収層１５３は、それぞれの内部を伝搬する光の一部を吸収することで、ミラースクリーン１２０Ａの内部における光の反射の繰り返しによる光の伝搬を抑制する。特に光透過反射層１７１と光拡散反射層１５４Ａとの間での光の反射の繰り返しによる光の伝搬を抑制できる。これにより、映像のぼやけを抑制できる。尚、この効果は、光透過反射層１７１と光拡散反射層１５４Ａとの間に少なくとも１つの光吸収層があれば得られる。光吸収層は、任意の構成であって、なくてもよい。光吸収層は、専用の層として設けることが製造上容易でありヘーズが小さくできるので好ましい。但し、接着層４１、光拡散反射層１５４Ａ、保護層５６、透明板４０は、着色顔料、染料、イオン、カーボン等を含むことで、光吸収層の役割を果たし得る。
【００９４】
尚、本変形例のミラースクリーン１２０Ａは、複数の透明板３０、４０を有するが、複数の透明板３０、４０のいずれか一方のみを有してもよい。この場合、スクリーンシート１５０Ａは、複数の透明板３０、４０のいずれか一方のみに貼り付けて用いられる。
【００９５】
［第３実施形態］
図５は、第３実施形態の変形例によるミラースクリーンの断面図である。以下、上記第１実施形態との相違点について主に説明する。
【００９６】
ミラースクリーン２２０は、前方のユーザ１０に対し、前方のプロジェクタ１２から投映される映像を表示し、かつ前方のユーザ１０などの鏡像を表示する。その鏡像は、映像の非投映時に表示されればよく、映像の投映時に表示されてもよいが表示されなくてよく、映像の投映時にユーザ１０に視認不能であってよい。
【００９７】
ミラースクリーン２２０は、平面スクリーン、曲面スクリーンのいずれでもよい。曲面スクリーンは、ユーザ１０に向けて凸の形状を有するもの、ユーザ１０に向けて凹の形状を有するもの、のいずれでもよい。
【００９８】
ミラースクリーン２２０は、例えば、複数の透明板３０、４０と、複数の透明板３０、４０の間に設けられるスクリーンシート２５０とで構成される合わせ板を有する。スクリーンシート２５０は、透明板３０に対し接着層３１によって接着されると共に、透明板４０に対し接着層４１によって接着される。
【００９９】
複数の透明板３０、４０は、スクリーンシート２５０を前後両側から挟むことで、スクリーンシート２５０を前後両側から保護する。複数の透明板３０、４０は、それぞれ、例えばガラス板である。この場合、合わせ板として、合わせガラスが得られる。
【０１００】
ミラースクリーン２２０は、透明板３０と接着層３１との間に、第１の光吸収層２８１を有する。透明板３０を基材として、第１の光吸収層２８１が形成される。
【０１０１】
第１の光吸収層２８１は、透明板３０の表面に形成される。第１の光吸収層２８１は、その内部を伝搬する光の一部を吸収することで、ミラースクリーン２２０の内部における光の反射の繰り返しによる光の伝搬を抑制する。これにより、映像のぼやけが抑制できる。
【０１０２】
第１の光吸収層２８１は、光反射率よりも光吸収率の大きい材料で形成される。第１の光吸収層２８１は、例えばチタンなどの金属、酸化モリブデンや酸化クロムなどの金属酸化物、金属窒化物、カーボンブラック、グラファイト、グラフェン等の炭素材料、有機顔料、または有機染料等を含む材料などにより形成されてよい。第１の光吸収層２８１の形成方法としては、例えば真空蒸着法またはスパッタリング法、ウェットコーティング法などが用いられる。
【０１０３】
尚、本実施形態の第１の光吸収層２８１は、合わせ板の内部に設けられるが、合わせ板の外部に設けられてもよく、例えば前側の透明板３０の前面に設けられてもよい。また、本実施形態の第１の光吸収層２８１は、スクリーンシート２５０とは別に設けられるが、スクリーンシート２５０の一部として設けられてもよい。
【０１０４】
スクリーンシート２５０は、複数の透明板３０、４０の間に挟んで用いられる。スクリーンシート２５０の厚みは、スクリーンシート２５０の製造方法や投映像の視認性などに応じて任意に設定できるが、例えば０．０２〜１．５ｍｍが好ましい。
【０１０５】
スクリーンシート２５０は、例えば、前側から後側に向けて、基材５１、光散乱層２５２、および保護層５６をこの順で有する。基材５１の表面に、光散乱層２５２、および保護層５６がこの順で形成される。
【０１０６】
尚、基材５１と保護層５６との配置は逆でもよく、スクリーンシート２５０は、前側から後側に向けて、保護層５６、光散乱層２５２、および基材５１をこの順で有してもよい。尚、基材５１および保護層５６の少なくとも一方がなくてもよい。
【０１０７】
光散乱層２５２は、前方および後方からの光の一部を散乱し、前方および後方からの光の他の一部を透過する。光散乱層２５２は、透明材料２５３と、透明材料２５３中に分散する光散乱材料２５４とを含む。透明材料２５３としては、例えば透明樹脂が用いられる。その透明樹脂としては、アクリル樹脂、エポキシ樹脂等の光硬化性樹脂、熱硬化性樹脂、熱可塑性樹脂等が挙げられる。一方、光散乱材料２５４は、透明材料２５３とは異なる屈折率を有する材料が用いられる。例えば、光散乱材料２５４としては、無機材料の微粒子、有機材料の微粒子、空隙などが用いられる。無機材料としては、酸化チタン（屈折率：２．５〜２．７）、酸化ジルコニウム（屈折率：２．４）、酸化アルミニウム（屈折率：１．７６）、ダイヤモンド（屈折率：２．４）、ダイヤモンドライクカーボン等の高屈折率材料や、ポーラスシリカ（屈折率：１．２５以下）、中空シリカ（屈折率：１．２５以下）等の低屈折率材料が用いられる。
【０１０８】
光散乱層２５２は、その内部に光吸収材料２５５をさらに含んでもよい。光吸収材料２５５としては、カーボンブラックやチタンブラック等を用いることができる。光吸収材料２５５は、光散乱層２５２の内部を伝搬する光の一部を吸収することで、ミラースクリーン２２０の内部における光の反射の繰り返しによる光の伝搬を抑制する。これにより、映像のぼやけが抑制できる。
【０１０９】
尚、本実施形態の光散乱層２５２は、基材５１の表面に形成されるが、その代わりに複数の透明板３０、４０のいずれか一方の表面に形成されてもよい。また、本実施形態の光散乱層２５２は、保護層５６で保護されるが、その代わりに複数の透明板３０、４０のいずれか他方で保護されてもよい。これらの場合、複数の接着層３１、４１、基材５１、および保護層５６が不要である。
【０１１０】
光散乱層２５２は、例えば基材５１の表面に透明材料２５３と光散乱材料２５４とを含む液体を塗布し、熱処理することで形成される。基材５１の表面に塗布する液体は、透明材料２５３や光散乱材料２５４の他に、光吸収材料２５５をさらに含んでもよい。
【０１１１】
尚、光散乱層２５２は、透明材料２５３で形成されたシートの表面に光散乱材料２５４を埋め込んだり焼結したりすることで形成されてもよい。この場合、基材５１が不要である。この場合、光散乱材料２５４は、光散乱層２５２の前面付近に埋め込んだり焼結したりすることが好ましい。さらに、この場合、透明板３０がなく、光散乱層２５２が最外層であってもよい。光散乱層２５２の前面付近に光散乱材料２５４があると、プロジェクタ１２からの光の正反射光を抑制することが出来る。
【０１１２】
ミラースクリーン２２０は、複数の透明板３０、４０とスクリーンシート２５０とで構成される合わせ板の後方に、第２の光吸収層６１と、光反射層６２と、後面保護層６３とを有する。
【０１１３】
尚、本実施形態の第２の光吸収層６１や光反射層６２は、合わせ板の外部に設けられるが、合わせ板の内部に設けられてもよく、例えば後側の透明板４０の前面に設けられてもよい。また、本実施形態の第２の光吸収層６１や光反射層６２は、スクリーンシート２５０とは別に設けられるが、スクリーンシート２５０の一部として設けられてもよい。
【０１１４】
以上説明したように、本実施形態のミラースクリーン２２０は、光散乱層２５２と、光反射層６２とを備える。光散乱層２５２は、前方および後方からの光の一部を散乱し、前方および後方からの光の他の一部を透過する。光反射層６２は、光散乱層２５２の後方に設けられ、光散乱層２５２からの光を前方に反射する。光散乱層２５２および光反射層６２は、前方から投映される映像の光を光散乱層２５２において散乱させると共に光反射層６２において前方に反射させることで、前方のユーザ１０に対し映像を表示するスクリーンとして機能する。映像の表示には、光散乱層２５２における前方散乱が利用される。前方散乱とは、光の進行方向への散乱を意味する。また、光反射層６２は、光散乱層２５２を通過した光を正反射することで、前方のユーザ１０に対し鏡像を表示するミラーとして機能する。本実施形態によれば、ミラースクリーン２２０を基準として、ユーザ１０とプロジェクタ１２とが同じ側に存在するため、スペースが削減できる。
【０１１５】
本実施形態のミラースクリーン２２０は、光散乱層２５２と光反射層６２の間に、第２の光吸収層６１を備える。第２の光吸収層６１は、その内部を伝搬する光の一部を吸収することで、ミラースクリーン２２０の内部における光の反射の繰り返しによる光の伝搬を抑制する。これにより、映像のぼやけを抑制できる。
【０１１６】
本実施形態のミラースクリーン２２０は、光散乱層２５２の前方に、第１の光吸収層２８１を備える。第１の光吸収層２８１は、その内部を伝搬する光の一部を吸収することで、ミラースクリーン２２０の内部における光の反射の繰り返しによる光の伝搬を抑制する。これにより、映像のぼやけを抑制できる。また、第１の光吸収層２８１は、特定の波長の光を吸収することで、鏡像の色調を調整することも可能である。例えば、第１の光吸収層２８１は、特定の波長の光を吸収することで、ミラーに映る顔の発色や、ミラーに映る建物のコントラストを補正することも可能である。
【０１１７】
本実施形態の光散乱層２５２は、その内部に、光吸収材料２５５を含む。この光吸収材料２５５は、光散乱層２５２の内部を伝搬する光の一部を吸収することで、ミラースクリーン２２０の内部における光の反射の繰り返しによる光の伝搬を抑制する。これにより、映像のぼやけを抑制できる。
【０１１８】
尚、本実施形態の光吸収材料２５５、第１の光吸収層２８１、第２の光吸収層６１は、必須の構成では無い。
【０１１９】
尚、本実施形態のミラースクリーン２２０は、複数の透明板３０、４０を有するが、複数の透明板３０、４０のいずれか一方のみを有してもよい。この場合、スクリーンシート２５０は、複数の透明板３０、４０のいずれか一方のみに貼り付けて用いられる。
【０１２０】
［第３実施形態の変形例］
図６は、第３実施形態の変形例によるミラースクリーンの断面図である。以下、上記第３実施形態との相違点について主に説明する。
【０１２１】
本変形例のミラースクリーン２２０Ａは、図５に示すスクリーンシート２５０の代わりに、図６に示すスクリーンシート２５０Ａを有する。
【０１２２】
スクリーンシート２５０Ａは、例えば、前側から後側に向けて、基材５１、光散乱層２５２Ａ、および保護層５６をこの順で有する。基材５１の表面に、光散乱層２５２Ａ、および保護層５６がこの順で形成される。
【０１２３】
尚、基材５１と保護層５６との配置は逆でもよく、スクリーンシート２５０Ａは、前側から後側に向けて、保護層５６、光散乱層２５２Ａ、および基材５１をこの順で有してもよい。
【０１２４】
光散乱層２５２Ａは、前方および後方からの光の一部を散乱し、前方および後方からの光の他の一部を透過する。光散乱層２５２Ａは、凹凸層２５３Ａと、被覆層２５４Ａとを有する。
【０１２５】
凹凸層２５３Ａは、基材５１の表面に形成され、基材５１とは反対側の表面に凹凸を有する。凹凸層２５３Ａは、樹脂により形成されてよい。凹凸層２５３Ａの形成方法としては、例えばインプリント法などが用いられる。インプリント法の樹脂材料としては、光硬化性樹脂、熱可塑性樹脂、熱硬化性樹脂のいずれが用いられてもよい。
【０１２６】
被覆層２５４Ａは、凹凸層２５３Ａの表面の凹凸を埋める。被覆層２５４Ａは、凹凸層２５３Ａとは屈折率の異なる樹脂により形成されている。被覆層２５４Ａと凹凸層２５３Ａとの界面で光が散乱される。
【０１２７】
光散乱層２５２Ａは、その内部に光吸収材料２５５Ａをさらに含んでもよい。光吸収材料２５５Ａは、凹凸層２５３Ａおよび被覆層２５４Ａの少なくとも一方（図６では両方）に含まれる。光吸収材料２５５Ａとしては、カーボンブラックやチタンブラック、有機染料等を用いることができる。光吸収材料２５５Ａは、光散乱層２５２Ａの内部を伝搬する光の一部を吸収することで、ミラースクリーン２２０Ａの内部における光の反射の繰り返しによる光の伝搬を抑制する。これにより、映像のぼやけが抑制できる。
【０１２８】
尚、本変形例の光散乱層２５２Ａは、基材５１の表面に形成されるが、その代わりに複数の透明板３０、４０のいずれか一方の表面に形成されてもよい。また、本変形例の光散乱層２５２Ａは、保護層５６で保護されるが、その代わりに複数の透明板３０、４０のいずれか他方で保護されてもよい。これらの場合、複数の接着層３１、４１、基材５１、および保護層５６が不要である。
【０１２９】
本変形例のミラースクリーン２２０Ａは、光散乱層２５２Ａと、光反射層６２とを備える。光散乱層２５２Ａは、前方および後方からの光の一部を散乱し、前方および後方からの光の他の一部を透過する。光反射層６２は、光散乱層２５２Ａの後方に設けられ、光散乱層２５２Ａからの光を前方に反射する。光散乱層２５２Ａおよび光反射層６２は、前方から投映される映像の光を光散乱層２５２Ａにおいて散乱させると共に光反射層６２において前方に反射させることで、前方のユーザ１０に対し映像を表示するスクリーンとして機能する。また、光反射層６２は、光散乱層２５２Ａを通過した光を正反射することで、前方のユーザ１０に対し鏡像を表示するミラーとして機能する。本変形例によれば、ミラースクリーン２２０Ａを基準として、ユーザ１０とプロジェクタ１２とが同じ側に存在するため、スペースが削減できる。
【０１３０】
本変形例のミラースクリーン２２０Ａは、光散乱層２５２Ａと光反射層６２の間に、第２の光吸収層６１を備える。第２の光吸収層６１は、その内部を伝搬する光の一部を吸収することで、ミラースクリーン２２０Ａの内部における光の反射の繰り返しによる光の伝搬を抑制する。これにより、映像のぼやけを抑制できる。
【０１３１】
本変形例のミラースクリーン２２０Ａは、光散乱層２５２Ａの前方に、第１の光吸収層２８１を備える。第１の光吸収層２８１は、その内部を伝搬する光の一部を吸収することで、ミラースクリーン２２０Ａの内部における光の反射の繰り返しによる光の伝搬を抑制する。これにより、映像のぼやけを抑制できる。また、第１の光吸収層２８１は、特定の波長の光を吸収することで、鏡像の色調を調整することも可能である。例えば、第１の光吸収層２８１は、特定の波長の光を吸収することで、ミラーに映る顔の発色や、ミラーに映る建物のコントラストを補正することも可能である。
【０１３２】
本変形例の光散乱層２５２Ａは、その内部に、光吸収材料２５５Ａを含む。この光吸収材料２５５Ａは、光散乱層２５２Ａの内部を伝搬する光の一部を吸収することで、ミラースクリーン２２０Ａの内部における光の反射の繰り返しによる光の伝搬を抑制する。これにより、映像のぼやけを抑制できる。
【０１３３】
尚、本変形例のミラースクリーン２２０Ａは、複数の透明板３０、４０を有するが、複数の透明板３０、４０のいずれか一方のみを有してもよい。この場合、スクリーンシート２５０Ａは、複数の透明板３０、４０のいずれか一方のみに貼り付けて用いられる。
【０１３４】
また、本変形例の第１の光吸収層２８１、光吸収材料２５５Ａは、必ずしも必須の構成では無い。
【０１３５】
以上、ミラースクリーンの実施形態などについて説明したが、本発明は上記実施形態などに限定されず、特許請求の範囲に記載された本発明の要旨の範囲内において、種々の変形、改良が可能である。
【０１３６】
例えば、ミラースクリーン２０、２０Ａ、１２０、１２０Ａ、２２０、２２０Ａは、不図示の機能層をさらに有してもよい。機能層としては、例えば光の反射を低減させる光反射防止層、光の一部を減衰させる光減衰層、および赤外線の透過を抑える赤外線遮蔽層、などが挙げられる。さらに、ミラースクリーン２０、２０Ａ、１２０、１２０Ａ、２２０、２２０Ａが有する機能層としては電圧を印加して振動し、スピーカーとして機能する振動層、音の透過を抑制する遮音層などの機能層が挙げられる。機能層の数、機能層の位置は特に限定されない。
【符号の説明】
【０１３７】
１０  ユーザ
１２  プロジェクタ
２０  ミラースクリーン
３０  透明板
４０  透明板
５０  スクリーンシート
５３  光透過拡散反射層
５４  第１の光吸収層
６１  第２の光吸収層
６２  光反射層
【図１】
2017083743.tif 000003
【図２】
2017083743.tif 000004
【図３】
2017083743.tif 000005
【図４】
2017083743.tif 000006
【図５】
2017083743.tif 000007
【図６】
2017083743.tif 000008